(57)【要約】【課題】原稿の画像を読み取るときに原稿を照明して生成された光像を光電変換する前の段階での機密性を向上させる。【解決手段】画像読取装置１０を、読取対象の原稿を照明する照明部１２と、照明部１２によって原稿を照明することにより生成された光像を受光して反射する複数の反射面１５を備え該複数の反射面１５の各々の傾斜角度を変更可能に構成された反射板１４と、反射板１４で反射した光像を受光する受光部１９を備え該受光部１９で受光した光像を光電変換する光電変換部２０と、複数の反射面１５毎にその傾斜角度を制御する制御部１６を含めて構成する。制御部１６は、原稿の読み取り時に照明部１２によって原稿を照明することにより生成された光像が受光部１９で受光される方向に反射される傾斜角度、及び受光部１９で該光像が受光されない方向に反射される傾斜角度のいずれか一方となるように制御する。【選択図】図２
2008219789.tif 000002
【特許請求の範囲】
【請求項１】
読取対象の原稿を照明する照明手段と、
前記照明手段によって前記原稿を照明することにより生成された光像を受光して反射する複数の反射面を備え、該複数の反射面の各々の傾斜角度を変更可能に構成された反射手段と、
前記反射手段で反射した光像を受光する受光部を備え、該受光部で受光した光像を光電変換する光電変換手段と、
前記複数の反射面毎にその傾斜角度を、前記照明手段によって前記原稿を照明することにより生成された光像が前記受光部で受光される方向に反射される傾斜角度、及び前記受光部で該光像が受光されない方向に反射される傾斜角度の２種類の傾斜角度のいずれか一方となるように制御する制御手段と、
を含む画像読取装置。
【請求項２】
前記制御手段は、前記照明手段、前記反射手段、及び前記光電変換手段による前記原稿の読み取り毎に、前記複数の反射面の傾斜角度を変更する
請求項１記載の画像読取装置。
【請求項３】
前記原稿を複数回読み取ったときの各回毎の読取結果である光電変換後の画像信号の各々に基づいて、前記原稿の画像を再生する画像再生手段を更に含み、
前記制御手段は、前記複数の反射面毎にその傾斜角度を、前記複数回のうち少なくとも１回は前記照明手段によって前記原稿を照明することにより生成された光像が前記受光部で受光される方向に反射される傾斜角度となるように制御する
請求項２記載の画像読取装置。
【請求項４】
前記光電変換手段は、前記受光部を複数備え、
前記反射手段に備えられた複数の反射面の各々は、前記複数の受光部のいずれかに対応しており、
前記２種類の傾斜角度は、前記照明手段によって前記原稿を照明することにより生成された光像が前記複数の反射面の各々に対応する受光部で受光される方向に反射される傾斜角度、及び前記複数の受光部で該光像が受光されない方向に反射される傾斜角度である
請求項１または２に記載の画像読取装置。
【請求項５】
前記複数の受光部毎の前記原稿を読み取ったときの読取結果である光電変換後の画像信号の各々に基づいて、前記原稿の画像を再生する画像再生手段を更に含み、
前記制御手段は、前記照明手段によって前記原稿を照明することにより生成された光像が前記複数の受光部の少なくとも１つで受光されるように前記複数の反射面の各々の傾斜角度を制御する
請求項４記載の画像読取装置。
【請求項６】
前記反射手段は、前記原稿に対して所定方向に相対移動することによって、前記原稿の各部分の光像を順次受光して反射するように構成され、
前記光電変換手段は、前記反射手段の移動に応じて受光した前記原稿の各部分の光像を光電変換し、
前記制御手段は、前記原稿の読み取り時に、前記反射手段の移動に応じて前記複数の反射面の各々の傾斜角度を変更する
請求項１〜５のいずれか１項記載の画像読取装置。
【請求項７】
前記反射手段は、反射面が複数配列された反射面群が所定方向に複数配列されて構成されると共に、前記原稿に対して前記所定方向に相対移動することによって、前記原稿の各部分の光像を順次受光して反射するように構成され、
前記光電変換手段は、前記複数の反射面群の各々に対応した複数の受光部を備え、前記反射手段の移動に応じて各受光部で受光した前記原稿の各部分の光像を光電変換し、
前記制御手段は、前記原稿の読み取り毎に、前記原稿の読み取りに用いる反射面群及び受光部を変更し、該読み取りに用いる反射面群の各反射面の傾斜角度を制御する
請求項１〜５のいずれか１項記載の画像読取装置。
【請求項８】
前記原稿の一部を指定するための指定手段を更に含み、
前記制御手段は、前記指定手段で指定された部分を読み取る場合に、前記複数の反射面毎にその傾斜角度を前記２種類の傾斜角度のいずれか一方となるように制御する
請求項１〜７のいずれか１項に記載の画像読取装置。
【請求項９】
前記原稿を読み取るときの前記複数の反射面の各々の傾斜角度の情報を画像読取装置毎に異ならせて記憶した記憶手段を更に含み、
前記制御手段は、前記記憶手段に記憶された情報に基づいて、前記複数の反射面の傾斜角度を制御する
請求項１〜８のいずれか１項記載の画像読取装置。
【請求項１０】
コンピュータを、
読取対象の原稿を照明する照明手段を制御する照明制御手段、
前記照明手段によって前記原稿を照明することにより生成された光像を受光して反射する複数の反射面を備えると共に該複数の反射面の各々の傾斜角度を変更可能に構成された反射手段で反射した光像を受光する受光部を備え、該受光部で受光した光像を光電変換する光電変換手段を制御する光電変換制御手段、
及び、前記複数の反射面毎にその傾斜角度を、前記照明手段によって前記原稿を照明することにより生成された光像が前記受光部で受光される方向に反射される傾斜角度、及び前記受光部で該光像が受光されない方向に反射される傾斜角度の２種類の傾斜角度のいずれか一方となるように制御する反射制御手段
として機能させるためのプログラム。
【発明の詳細な説明】
【技術分野】
【０００１】
本発明は、画像読取装置およびプログラムに関する。
【背景技術】
【０００２】
従来、画像読取装置で読み取った画像データの機密漏洩を防止するための様々な発明が提案されている。それらの多くの発明は、原稿画像を画像読取装置で読み取った後、すなわち原稿をランプ等の照明手段で照明したときの反射光を光電変換手段で受光して光電変換した後の電子データについての機密漏洩防止を目的としている。
【０００３】
例えば、所定のデータ列を生成する生成手段と、前記読取手段が複数走査回に分けて読み取られる各走査毎に連なる画像データ列を前記生成手段により生成される前記所定のデータ列に基づいて加工して異なる出力データ列を複数出力する画像処理手段を備えた画像処理装置が知られている（例えば、特許文献１参照。）。
【特許文献１】特開２００６−３３５６９号公報
【発明の開示】
【発明が解決しようとする課題】
【０００４】
本発明は、原稿の画像を読み取るときに原稿を照明して生成された光像を光電変換する前の段階で原稿画像の反射光である光像が傍受された場合でも機密性を向上させることができる画像読取装置およびプログラムを提供することを目的とする。
【課題を解決するための手段】
【０００５】
上記目的を達成するために請求項１の発明の画像読取装置は、読取対象の原稿を照明する照明手段と、前記照明手段によって前記原稿を照明することにより生成された光像を受光して反射する複数の反射面を備え、該複数の反射面の各々の傾斜角度を変更可能に構成された反射手段と、前記反射手段で反射した光像を受光する受光部を備え、該受光部で受光した光像を光電変換する光電変換手段と、前記複数の反射面毎にその傾斜角度を、前記照明手段によって前記原稿を照明することにより生成された光像が前記受光部で受光される方向に反射される傾斜角度、及び前記受光部で該光像が受光されない方向に反射される傾斜角度の２種類の傾斜角度のいずれか一方となるように制御する制御手段と、を含んで構成されている。
【０００６】
請求項２の発明は、請求項１記載の画像読取装置において、前記制御手段は、前記照明手段、前記反射手段、及び前記光電変換手段による前記原稿の読み取り毎に、前記複数の反射面の傾斜角度を変更する。
【０００７】
請求項３の発明は、請求項２記載の画像読取装置において、前記原稿を複数回読み取ったときの各回毎の読取結果である光電変換後の画像信号の各々に基づいて、前記原稿の画像を再生する画像再生手段を更に含み、前記制御手段は、前記複数の反射面毎にその傾斜角度を、前記複数回のうち少なくとも１回は前記照明手段によって前記原稿を照明することにより生成された光像が前記受光部で受光される方向に反射される傾斜角度となるように制御する。
【０００８】
請求項４の発明は、請求項１または２に記載の画像読取装置において、前記光電変換手段は、前記受光部を複数備え、前記反射手段に備えられた複数の反射面の各々は、前記複数の受光部のいずれかに対応しており、前記２種類の傾斜角度は、前記照明手段によって前記原稿を照明することにより生成された光像が前記複数の反射面の各々に対応する受光部で受光される方向に反射される傾斜角度、及び前記複数の受光部で該光像が受光されない方向に反射される傾斜角度である。
【０００９】
請求項５の発明は、請求項４記載の画像読取装置において、前記複数の受光部毎の前記原稿を読み取ったときの読取結果である光電変換後の画像信号の各々に基づいて、前記原稿の画像を再生する画像再生手段を更に含み、前記制御手段は、前記照明手段によって前記原稿を照明することにより生成された光像が前記複数の受光部の少なくとも１つで受光されるように前記複数の反射面の各々の傾斜角度を制御する。
【００１０】
請求項６の発明は、請求項１〜５のいずれか１項記載の画像読取装置において、前記反射手段は、前記原稿に対して所定方向と交差する方向に相対移動することによって、前記原稿の各部分の光像を順次受光して反射するように構成され、前記光電変換手段は、前記反射手段の移動に応じて受光した前記原稿の各部分の光像を光電変換し、前記制御手段は、前記原稿の読み取り時に、前記反射手段の移動に応じて前記複数の反射面の各々の傾斜角度を変更する。
【００１１】
請求項７の発明は、請求項１〜５のいずれか１項記載の画像読取装置において、前記反射手段は、反射面が複数配列された反射面群が所定方向に複数配列されて構成されると共に、前記原稿に対して前記所定方向に相対移動することによって、前記原稿の各部分の光像を順次受光して反射するように構成され、前記光電変換手段は、前記複数の反射面群の各々に対応した複数の受光部を備え、前記反射手段の移動に応じて各受光部で受光した前記原稿の各部分の光像を光電変換し、前記制御手段は、前記原稿の読み取り毎に、前記原稿の読み取りに用いる反射面群及び受光部を変更し、該読み取りに用いる反射面群の各反射面の傾斜角度を制御する。
【００１２】
請求項８の発明は、請求項１〜７のいずれか１項に記載の画像読取装置において、前記原稿の一部を指定するための指定手段を更に含み、前記制御手段は、前記指定手段で指定された部分を読み取る場合に、前記複数の反射面毎にその傾斜角度を前記２種類の傾斜角度のいずれか一方となるように制御する。
【００１３】
請求項９の発明は、請求項１〜８のいずれか１項記載の画像読取装置において、前記原稿を読み取るときの前記複数の反射面の各々の傾斜角度の情報を画像読取装置毎に異ならせて記憶した記憶手段を更に含み、前記制御手段は、前記記憶手段に記憶された情報に基づいて、前記複数の反射面の傾斜角度を制御する。
【００１４】
請求項１０の発明のプログラムは、コンピュータを、読取対象の原稿を照明する照明手段を制御する照明制御手段、前記照明手段によって前記原稿を照明することにより生成された光像を受光して反射する複数の反射面を備えると共に該複数の反射面の各々の傾斜角度を変更可能に構成された反射手段で反射した光像を受光する受光部を備え、該受光部で受光した光像を光電変換する光電変換手段を制御する光電変換制御手段、及び、前記複数の反射面毎にその傾斜角度を、前記照明手段によって前記原稿を照明することにより生成された光像が前記受光部で受光される方向に反射される傾斜角度、及び前記受光部で該光像が受光されない方向に反射される傾斜角度の２種類の傾斜角度のいずれか一方となるように制御する反射制御手段として機能させるものである。
【発明の効果】
【００１５】
請求項１に記載の発明によれば、原稿の画像を読み取るときに原稿を照明して生成された光像を光電変換する前の段階で該原稿画像の反射光である光像が傍受された場合でも機密性を向上させることができるという効果が得られる。
【００１６】
請求項２に記載の発明によれば、画像の読み取り毎に光電変換手段の受光部に到達する原稿の光像が変化するため、読み取り毎の機密性を高めることができるという効果が得られる。
【００１７】
請求項３に記載の発明によれば、複数回の原稿読み取りにより原稿画像を再生させることにより、読み取りの一部の情報を傍受されても画像を再生できないため機密性を高めることができるという効果が得られる。
【００１８】
請求項４に記載の発明によれば、受光部毎に到達する原稿の光像を異ならせるため、光電変換する前の機密性を高めることができるという効果が得られる。
【００１９】
請求項５に記載の発明によれば、１回の原稿の読み取りにより原稿画像を再生させることにより、生産性を低下させることなく機密性を高めることができるという効果が得られる。
【００２０】
請求項６に記載の発明によれば、プリズム、ハーフミラー等の光路変更手段が本画像読取装置の光路中に設置されて傍受されても、各反射面の傾斜角度の変化が正確に把握できなければ正常な画像は取得できないため、より機密性を高めることができるという効果が得られる。
【００２１】
請求項７に記載の発明によれば、プリズム、ハーフミラー等の光路変更手段が本画像読取装置の光路中に設置されて傍受されても、読み取りに用いる受光部及び反射面群の設置位置が正確に把握できなければ正常な画像は取得できないため、より機密性を高めることができるという効果が得られる。
【００２２】
請求項８に記載の発明によれば、指定した部分の機密性が高まるという効果が得られる。
【００２３】
請求項９に記載の発明によれば、光像が傍受された場合でも、どの画像読取装置が傍受されたかを傍受された読み取り結果から容易に特定することができる。
【００２４】
請求項１０に記載の発明によれば、原稿の画像を読み取るときに原稿を照明して生成された光像を光電変換する前の段階で原稿画像の反射光である光像が傍受された場合でも機密性を向上させることができるという効果が得られる。
【発明を実施するための最良の形態】
【００２５】
以下、図面を参照して本発明の実施の形態を詳細に説明する。
【００２６】
［第１の実施形態］
まず、図１及び図２を参照して、本実施の形態に係る画像読取装置１０の構成を説明する。
【００２７】
図１は、本実施の形態に係る画像読取装置１０の概略構成図であり、図２は、画像読取装置１０の制御系の構成を詳細に示したブロック図である。
【００２８】
この画像読取装置１０は、照明部１２と、反射板１４と、レンズ１８と、受光部１９が設けられた光電変換部２０とを含んで構成されている。
【００２９】
照明部１２、反射板１４、光電変換部２０は、それぞれ制御部１６に接続され、制御部１６からの制御信号により動作する。なお、図２では、制御部１６と照明部１２とが接続される接続線と、制御部１６と光電変換部２０とが接続される接続線を省略した。
【００３０】
制御部１６は、反射面１５の傾斜角度、照明部１２、及び光電変換部２０を制御するためのプログラム等の各種プログラムやパラメータ等が記憶された図示しないＲＯＭ（Ｒｅａｄ  Ｏｎｌｙ  Ｍｅｍｏｒｙ）、各種プログラムを実行するＣＰＵ（中央演算装置）、ＣＰＵによる各種プログラムの実行時におけるワークエリア等として用いられるＲＡＭ（Ｒａｎｄｏｍ  Ａｃｃｅｓｓ  Ｍｅｍｏｒｙ）等から構成されている。
【００３１】
照明部１２は、図１（Ａ）及び図２に示すように、読取対象の原稿を照明する。
【００３２】
反射板１４は、図１（Ｂ）に示すように、二次元配列された複数の反射面１５を備えている。複数の反射面１５は、照明部１２によって原稿を照明することにより生成された光像を受光して反射する小さなミラーである。
【００３３】
本実施の形態の反射板１４に用いられる技術のひとつとして、変形可能ミラー空間的光変調器（ＳＬＭ）が挙げられる。特開平８−２１９６７には、変形可能ミラー空間的光変調器（ＳＬＭ）が開示されている。
【００３４】
上記文献によれば、ＳＬＭは小型ミラーまたは反射器のアレイから作られ、該小型ミラーまたは反射器のそれぞれは選択的光反射画素として作用し、通常は、それぞれの小型ミラーまたは反射器は、常態の第１位置と、１つまたはそれ以上の第２位置との間で可動なものである。
【００３５】
ＳＬＭの種類には、電気光学的なもの、磁気光学的なもの、液晶のもの、および偏向可能（または変形可能）ミラーがあり、偏向可能ミラーは、偏向可能（または変形可能）ミラーデバイスまたはディジタル・マイクロミラーデバイス（ＤＭＤ）と呼ばれ、電子的にアドレス指定可能なミラー素子の超小形機械的アレイを含む。このミラー素子は反射器であり、個々に選択的反射配置へ偏向可能である。上述のようにそれぞれのミラーは、電気的入力に応答して機械的に移動（偏向または変形）しうる画素を構成する。それぞれのミラーに入射する光は、それぞれの選択的に移動または位置せしめられたミラーからの反射によって、その方向を選択的に変調する。
【００３６】
すなわち、反射板１４は反射面１５が敷き詰められており、反射面１５は電気的入力に応答して各々が機械的に傾斜角度を変化させる。
【００３７】
なお、以下では、反射板１４の長手方向を主走査方向（図１（Ａ）の矢印Ａ）と呼称し、主走査方向に直交する方向を副走査方向（図１（Ａ）の矢印Ｂ）と呼称する。
【００３８】
図１（Ａ）及び図２に示すように、反射板１４は制御部１６に接続されている。制御部１６は、反射板１４に設けられた反射面１５の各々の傾斜角度を制御するための制御信号を出力する。
【００３９】
図２に示すように、制御部１６には、第１記憶部２６が接続されている。第１記憶部２６には、原稿読み取り時の反射面１５の傾斜角度の情報が反射面毎に記憶されている。制御部１６は、第１記憶部２６に記憶された情報に従って、複数の反射面１５の各々の傾斜角度を制御する。
【００４０】
これにより、各反射面１５の傾斜角度は、原稿の光像を光電変換部２０の受光部１９に導く角度、すなわち、反射面１５で受光した該光像が光電変換部２０の受光部１９で受光される方向に反射される傾斜角度、または該受光部１９で受光されない方向に反射される傾斜角度のいずれかとなるように制御される。
【００４１】
反射面１５の傾斜角度が、反射面１５で受光した該光像が光電変換部２０の受光部１９で受光される方向に反射される傾斜角度となるように制御された場合には、反射面１５で反射された原稿の光像が結像光学系であるレンズ１８を介して光電変換部２０に設けられた受光部１９で受光される。
【００４２】
受光部１９で受光された光像は、光電変換部２０で光電変換され、受光した光量に応じたアナログ信号となって出力される。なお、受光部１９は、反射板１４と同様に主走査方向に長尺状に形成されており、光電変換部２０は原稿からの光像を１ライン毎に光電変換して読み取る。なお、光電変換部２０の光電変換のタイミング等は制御部１６からの制御信号により制御される。
【００４３】
図１（Ａ）及び図２に示すように、光電変換部２０の出力側にはアナログデジタル変換部（Ａ／Ｄ変換部）２２が設けられている。Ａ／Ｄ変換部２２は、光電変換部２０から出力されたアナログ信号を、デジタル信号に変換する。このデジタル信号は第２記憶部２８に記憶され、画像処理部２４での画像処理を行なうときに読み出され処理される。なお、以下では、このデジタル信号を画像データと呼称する。
【００４４】
画像処理部２４では、原稿を読み取って得られた画像データに所定の画像処理を施す。また、後述するように該画像データから原稿の画像を再生する処理も行なう。
【００４５】
なお、制御部１６には、ユーザインタフェース部（ＵＩ）３０が接続されている。ＵＩ部３０は、メッセージ等を表示したり、様々な情報を入力したりするためのインタフェースである。
【００４６】
本実施の形態では、照明部１２，反射板１４、レンズ１８、及び光電変換部２０が不図示のキャリッジに搭載され、キャリッジが副走査方向に移動することによって、原稿の各部分を順次読み取り最終的に原稿全体を読み取る。
【００４７】
具体的には、走査駆動機構によってキャリッジが副走査方向に移動すると、該キャリッジに搭載された照明部１２が副走査方向に移動しながら該原稿の各部分を順次照明する。そして、同じくキャリッジに搭載され、照明部１２と一体的に移動する反射板１４が該照明によって生成された光像を順次受光し反射する。光電変換部２０は該反射板１４で反射した光像を順次受光して、原稿の各部分の光像を光電変換し、原稿全体の画像を読み取る。なお、以下では、原稿を読み取る読取り動作のことを「読み取り走査」或いは「走査」と呼称する。
【００４８】
次に、本実施の形態に係る画像読取装置１０の原稿読取動作について説明する。
【００４９】
まず、予めユーザ（例えば、画像読取装置１０の管理責任者など）がＵＩ部３０を介して読取りモードを設定しておく。読取りモードには通常モード及び機密保持モードがある。通常モードは、原稿の画像が１回の走査でそのまま読み取られるモードである。機密保持モードは、原稿の画像が部分的に欠落した状態で読み取られるモードである。
【００５０】
いずれかの読み取りモードが設定されている状態で、原稿画像の読取りを希望するユーザが原稿をプラテンガラス等の板状の透明部材（不図示）上の所定の位置にのせ、ＵＩ部３０を介して読取開始命令を入力し画像読取装置１０に対して画像の読み取りを開始させる。なお、自動原稿送り装置によって原稿を所定の位置に配置するようにしてもよい。
【００５１】
読取開始命令が入力されると、上述したように、キャリッジが走査開始位置から副走査方向に移動を開始する。これにより、上述したように原稿の画像が副走査方向に順次読み込まれる。このとき、反射板１４に備えられた複数の反射面１５は、ユーザが設定したモードに応じて制御される。通常モードの場合には、制御部１６は、反射板１４の全ての反射面１５の傾斜角度を、照明部１２によって原稿を照明することにより生成された光像が受光部１９で受光される方向に反射される傾斜角度となるように制御する。従って、通常モードの場合には、原稿の画像が１回の走査でそのまま読み取られ、図３（Ｊ）に示すように、原稿の画像を示す画像データが得られる。
【００５２】
一方、機密保持モードの場合には、制御部１６は、複数の反射面１５毎にその傾斜角度を、照明部１２によって原稿を照明することにより生成された光像が受光部１９で受光される方向に反射される傾斜角度（以下、第１角度と呼称）、及び受光部１９で該光像が受光されない方向に反射される傾斜角度（以下、第２角度と呼称）のいずれか一方となるように制御する。
【００５３】
なお、制御部１６は、各反射面１５をどちらの傾斜角度にするかを、第１の記憶部２６に記憶された情報に従って判断する。第１記憶部２６には、各反射面１５毎に機密保持モード時の傾斜角度を示す情報が記憶されている。制御部１６は、第１記憶部２６に記憶された傾斜角度の情報を読み出し、該読み出した情報に従って反射板１４の各反射面１５の傾斜角度を制御する。
【００５４】
反射面１５の傾斜角度を第１角度に変更した場合には、該反射面１５で受光された光は、光電変換部２０の受光部１９が配置される方向に反射され、該受光部１９で受光した光像は光電変換される。
【００５５】
一方、反射面１５の傾斜角度を第２角度に変更した場合には、該反射面１５で受光された光は、光吸収体（不図示）が配置される方向に反射され、該光吸収体で吸収される。
【００５６】
このように複数の反射面１５の傾斜角度が制御されると、例えば、図３の（Ａ）〜（Ｃ）に示すように、副走査方向に黒いラインが発生し、原稿の画像が所々欠落した画像データが得られる。
【００５７】
なお、第１記憶部２６に予め記憶されている傾斜角度の情報を、画像読取装置毎に異ならせるようにしてもよい。例えば、画像読取装置の製造番号と複数の反射面の反射角度の設定とを関連付けて管理しておくことで、光像が傍受された場合でも、画像の欠落状態（隠蔽パターン、すなわち、図３では副走査方向の黒いライン）によって、どの画像読取装置が傍受されたかが傍受された画像から特定される。
【００５８】
また、本実施の形態に係る画像読取装置１０では、機密保持モードにおいて、各反射面１５の傾斜角度を読取り走査毎に変化させながら、複数回の読取り走査を行なうことによって、原稿の画像が所々欠落した画像データを複数生成し、これらに基づいて原稿の画像を再生するように動作する。
【００５９】
以下、この画像再生処理について説明する。なお、ここでは、同一原稿を３回読み取る場合を例に挙げて説明する。
【００６０】
第１記憶部２６には、各反射面の傾斜角度の情報が各走査毎に記憶されている。ただし、ランダムに傾斜角度が定められているのではなく、３回の画像読取り後に原稿の画像が再生可能なように、３回の読み取り走査のうち少なくとも１回は第１角度となるように定められている。
【００６１】
制御部１６は、第１の記憶部２６に各走査に対応して記憶されている傾斜角度の情報を読み出して、反射面１５の傾斜角度を制御する。これにより、各走査に対応する遮蔽パターンで原稿の画像が所々欠落した画像データが得られる。
【００６２】
図３（Ｄ）〜（Ｆ）は、読み取り走査毎の主走査方向における遮蔽パターンの例を示す図である。この図３（Ｄ）〜（Ｆ）において、黒抜きの部分が無効データとなる部分、すなわち、反射面１５の傾斜角度が第２角度となるように制御される部分である。残りの白抜き部分は反射面１５の傾斜角度が第１角度となるように制御される部分であって、有効データとなる部分である。
【００６３】
このようなパターンで反射面１５の各々の傾斜角度を読み取り走査毎に制御することにより、例えば、図３（Ａ）〜（Ｃ）に示す読み取り結果が得られる。各回の走査で得られた画像データは一旦第２記憶部２８に格納される。画像処理部２４は、３回目の画像データが得られた後、第２記憶部２８に記憶されている各画像データを読み出し、原稿の画像を再生する。
【００６４】
具体的には、まず、画像処理部２４は、第１記憶部に記憶されている傾斜角度の情報を読み出し、各走査毎に第１角度及び第２角度の位置情報を得る。そして、それぞれの位置情報に基づいて、図３（Ｄ）〜（Ｆ）に示すような遮蔽パターンを各走査毎に生成する。
【００６５】
次に、画像処理部２４は、各走査毎に遮蔽パターンと原稿の読み取り結果である画像データの論理積をとる。これにより、図３（Ｇ）〜（Ｉ）に示すように、各走査毎の有効データ群が得られる。
【００６６】
そして、最後に画像処理部２４は、各走査毎の有効データ群の論理和をとる。これにより、図３（Ｊ）に示すように原稿画像が再生される。
【００６７】
なお、プリズムやハーフミラー等の光路変更手段が本画像読取装置の光路中に設置されて傍受されても、１回の読み取り結果の傍受では正常な画像は取得できない。
【００６８】
なお、本実施の形態では、機密保持モードにおける走査回数は上記実施の形態では３回としたが、これに限定されず、走査回数は３回に限定されず、４回以上であってもよいし、２回であってもよい。
【００６９】
また、読取対象の原稿が変わる毎に走査回数を変更するようにしてもよい。その際、走査回数を制御部１６が所定の範囲内でランダムに決定してもよいし、ユーザが設定するようにしてもよい。なお、読取対象の原稿が変わる毎に走査回数を変更する場合には、第１記憶部２６に、各走査毎の各反射面１５の傾斜情報を走査回数毎に予め記憶しておく。制御部１６は、原稿読み取りの度に逐次これを読み出して傾斜角度を制御する。
【００７０】
［第２の実施形態］
まず、本実施の形態に係る画像読取装置５０の構成を説明する。なお、本実施の形態に係る画像読取装置５０の概略構成図は、第１の実施の形態と同様であるため図示を省略する。
【００７１】
図４は、本実施の形態に係る画像読取装置５０の制御系の構成を詳細に示したブロック図である。図４において、図２と同一もしくは同等の部分には同じ記号を付し、その説明を省略する。なお、本実施の形態においても、照明部１２、反射板１４、光電変換部２０は、それぞれ制御部１６に接続されて制御されるが、図４でも、制御部１６と照明部１２とが接続される接続線と、制御部１６と光電変換部２０とが接続される接続線を省略した。
【００７２】
図４に示すように、本実施の形態における光電変換部２０には、受光部が複数備えられている。本実施の形態では、副走査方向に３つの受光部１９ａ、１９ｂ、１９ｃが配列されている。光電変換部２０は、各受光部１９ａ、１９ｂ、１９ｃで受光された光像を、各々光電変換する。
【００７３】
光電変換部２０の出力側には、各受光部１９ａ、１９ｂ、１９ｃに対応した３つのＡ／Ｄ変換部２２ａ、２２ｂ、２２ｃが設けられている。
【００７４】
更に、３つのＡ／Ｄ変換部２２ａ、２２ｂ、２２ｃのうち、２つのＡ／Ｄ変換部２２ａ、２２ｂの出力側には、ＦＩＦＯ型のメモリ２３ａ、２３ｂが設けられている。メモリ２３ａ、２３ｂは、入力された各受光部１９ａ、１９ｂ、１９ｃに対応した画像データをそれぞれ副走査方向の読み取り位置ずれを補正するために予め設計された期間だけ遅延させて出力する。
【００７５】
第２記憶部には、各受光部１９ａ、１９ｂ、１９ｃに対応して生成された画像データの各々が記憶される。画像処理部２４では、第２記憶部２８から画像データを読み出して、所定の画像処理を施す。また、後述するように該画像データから原稿の画像を再生する処理も行なう。
【００７６】
反射板１４には、主走査方向に複数の反射面１５が配列された反射面群が、副走査方向に少なくとも３ライン分（受光部の数に相当）配列されており、これら反射面群の各々は複数の受光部１９ａ、１９ｂ、１９ｃのいずれかに対応している。従って、原稿の光像を光電変換部２０で受光させて光電変換させるときには、制御部１６は、各反射面１５の傾斜角度を、その反射面１５に対応する受光部で該光像が受光される傾斜角度となるように制御する。
【００７７】
また、第１記憶部２６には、各受光部１９ａ、１９ｂ、１９ｃに対応する反射面群における各反射面１５毎の傾斜角度の情報が予め記憶されている。制御部１６は、第１記憶部２６に記憶された情報に従って、複数の反射面１５の各々の傾斜角度を制御する。
【００７８】
なお、本実施の形態では、照明部１２によって原稿を照明することにより生成された光像が反射面１５の各々に対応する受光部で受光される方向に反射される傾斜角度を第１角度と呼称し、受光部１９ａ、１９ｂ、１９ｃのいずれでも該光像が受光されない方向に反射される傾斜角度を第２角度と呼称する。
【００７９】
次に、本実施の形態に係る画像読取装置５０の原稿読取動作について説明する。
【００８０】
まず、第１の実施の形態と同様に、予めユーザ（例えば、画像読取装置１０の管理責任者など）がＵＩ部３０を介して読取りモードを通常モードか機密保持モードに設定しておく。
【００８１】
いずれかの読み取りモードが設定されている状態で、原稿画像の読取りを希望するユーザが原稿をプラテンガラス等の板状の透明部材（不図示）上の所定の位置にのせ、ＵＩ部３０を介して読取開始命令を入力し画像読取装置５０に対して画像の読み取りを開始させる。なお、自動原稿送り装置によって原稿を所定の位置に配置するようにしてもよい。
【００８２】
読取開始命令が入力されると、第１の実施の形態と同様に、照明部１２，反射板１４、レンズ１８、及び光電変換部２０が搭載されたキャリッジが走査開始位置から副走査方向に移動を開始する。これにより、上述したように原稿の画像が副走査方向に順次読み込まれる。このとき、反射板１４に備えられた複数の反射面１５は、ユーザが設定したモードに応じて制御される。通常モードの場合には、制御部１６は、反射板１４の全ての反射面１５の傾斜角度が第１角度となるように制御する。このとき、原稿の画像を示す画像データが、受光部の数だけ（本実施の形態では３つ）生成されるが、いずれも同じ画像データであるため、いずれか１つのみを有効とする。また、通常モードにおいては、複数の受光部のうち１つの受光部のみを有効とし、他の受光部は遮光するようにしてもよい。
【００８３】
このように、通常モードの場合には、原稿の画像がそのまま読み取られ、図３（Ｊ）に示すように原稿の画像そのままを示す画像データが得られる。
【００８４】
一方、機密保持モードの場合には、制御部１６は、第１記憶部２６に記憶されている傾斜角度の情報に従って、複数の反射面１５毎にその傾斜角度を、第１角度及び第２角度のいずれか一方となるように制御する。
【００８５】
このように複数の反射面１５の傾斜角度が制御されると、例えば、図３の（Ａ）〜（Ｃ）に示すように、各受光部毎の遮蔽パターンで原稿の画像が所々欠落した画像データが得られる。
【００８６】
なお、第１記憶部２６に予め記憶されている傾斜角度の情報を、画像読取装置毎に異ならせるようにしてもよい。例えば、画像読取装置の製造番号と複数の反射面の反射角度の設定とを関連付けておくことで、光像が傍受された場合でも、画像の欠落状態（隠蔽パターン、すなわち、図３では副走査方向の黒いライン）によって、どの画像読取装置が傍受されたかを傍受された画像から特定される。
【００８７】
また、本実施の形態に係る画像読取装置５０では、機密保持モードにおいて、主走査方向において同一位置に配列された各反射面１５の傾斜角度を各々異ならせ、隠蔽パターンが異なる複数の画像データを１回の読取り走査を行なうことによって生成し、これらに基づいて原稿の画像を再生するように動作する。
【００８８】
以下、この画像再生処理について第１の実施の形態で用いた図３の説明図を用いて説明する。なお、ここでは、受光部が３つの場合を例に挙げて説明する。
【００８９】
第１記憶部２６には、各反射面１５毎に、傾斜角度を第１角度にするか第２角度にするかを示す情報が記憶されている。ただし、ランダムに傾斜角度が定められているのではなく、読取り後に画像が再生可能なように、各反射面群間で主走査方向において同一位置に配列された反射面１５の各々の傾斜角度のうち、少なくとも１つの反射面１５は第１角度となるように定められている。
【００９０】
制御部１６は、第１の記憶部２６に記憶されている傾斜角度の情報を読み出して、反射面１５の傾斜角度を制御する。これにより、各反射面群毎の遮蔽パターンで原稿の光像が遮蔽され、原稿の画像が所々欠落した画像データが得られる。
【００９１】
ここでは、図３（Ｄ）〜（Ｆ）に示すパターンを、受光部毎（反射面群毎）の遮蔽パターンを示す例として扱う。第１の実施の形態と同様に、黒抜きの部分が無効データとなる部分、すなわち、反射面１５の傾斜角度が第２角度となるように制御される部分である。残りの白抜き部分は反射面１５の傾斜角度が第１角度となるように制御される部分であって、有効データとなる部分である。
【００９２】
このようなパターンで反射面１５の各々の傾斜角度を制御することにより、１回の読み取り走査で、例えば図３（Ａ）〜（Ｃ）に示す読み取り結果が得られる。
【００９３】
なお、本実施の形態では、各反射面群は、副走査方向にずれて配置されているため、読取対象の原稿において副走査方向にずれた位置の光像が、３つの受光部１９ａ、１９ｂ、１９ｃで同一タイミングで受光される。従って、このずれを補正するために、補正用のＦＩＦＯ型のメモリ２３ａ、２３ｂを設けて補正するようにしている。メモリ２３ａ、２３ｂの遅延期間は、各反射面群の副走査方向の間隔に応じて定まる。
【００９４】
このような機構により、各受光部１９ａ、１９ｂ、１９ｃで受光され光電変換及びＡ／Ｄ変換されて得られた画像データは、副走査方向のずれが解消された状態で各々第２記憶部２８に記憶される。画像処理部２４は、第２記憶部２８に記憶されている各画像データを読み出し、原稿の画像を再生する。
【００９５】
具体的には、まず、画像処理部２４は、第１記憶部に記憶されている傾斜角度の情報を読み出し、各反射面群毎の第１角度及び第２角度の位置情報を得る。そして、それぞれの位置情報に基づいて、図３（Ｄ）〜（Ｆ）に示すような各反射面群毎の遮蔽パターンを生成する。
【００９６】
次に、画像処理部２４は、各反射面群毎の遮蔽パターンとそれに対応した原稿の読み取り結果である画像データの論理積をとる。これにより、図３（Ｇ）〜（Ｉ）に示すように、各受光部毎の有効データ群が得られる。
【００９７】
そして、最後に画像処理部２４は、３つの有効データ群の論理和をとる。これにより、図３（Ｊ）に示すように原稿画像が再生される。
【００９８】
なお、プリズムやハーフミラー等の光路変更手段が本画像読取装置の光路中に設置されて傍受されても、複数の画像データは副走査方向に位置がずれているため、その副走査方向の位置ずれが補正されなければ正常な画像は取得できない。
【００９９】
なお、本実施の形態では、機密保持モードにおいて用いる受光部及び反射面群の数を、配置された受光部の数と同じとしたが、これに限定されず、機密保持モードにおいて実際に用いる受光部及び反射面群の数は、配置された受光部及び反射面群の数より少なくても良い。この場合には、制御部１６は、画像の読み取り毎に、読み取りに用いる受光部及び反射面群をランダム或いは画像読取装置５０の設定に応じて選択して、画像処理部２４に選択結果を伝達すると共に、少なくとも読み取りに用いる反射面群の各反射面の傾斜角度を制御する。画像処理部２４は、伝達された選択結果に応じて、第１記憶部に記憶されている傾斜情報を読み出して画像を再生する。
【０１００】
なお、本発明は、上述した第１及び第２の実施の形態に限定されるものではなく、特許請求の範囲に記載された発明の範囲内で様々な設計上の変更を行ってもよい。
【０１０１】
例えば、上記第１及び第２の実施の形態では、各反射面１５の傾斜角度の情報を予め第１記憶部２６に記憶しておき、この情報に基づいて傾斜角度を制御する例について説明したが、これに限定されず、ユーザがＵＩ部３０を介して、各反射面１５の傾斜角度の情報を任意に指定するようにしてもよい。
【０１０２】
また、上記第１及び第２の実施の形態では、副走査方向に固定された遮蔽パターンとなるように各反射面１５の傾斜角度を制御する例について説明したが、これに限定されず、例えば、反射板１４の反射面１５の各々の傾斜角度が反射板１４が原稿に対して副走査方向に相対的に移動するに従って変化するように制御してもよい。これにより、図５に示すように、原稿の読み取り結果は、黒いラインではなく矩形の遮蔽パターンが散在した状態となる。
【０１０３】
また、原稿の全ての部分で機密保持する必要がなく、所定の部分のみ機密を保持すればよい場合には、該部分を予め設定しておき、読取対象の原稿についてその部分を読み取る場合にのみ、上記第１及び第２の実施の形態で説明した機密保持のための読み取り動作を行なうようにする。また、機密を保持したい部分をユーザがＵＩ３０から指定するようにしてもよい。これにより、図６に示すように所定の部分だけに遮蔽パターンが現れる読取結果が得られる。
【０１０４】
また、上記実施の形態では、反射板１４の長手方向を主走査方向とすると共に主走査方向に直交する方向を副走査方向とし、キャリッジが副走査方向に移動することによって、原稿の各部分を順次読み取り最終的に原稿全体を読み取るようにしたが、キャリッジが主走査方向に移動することによって原稿を読み取るようにしてもよい。
【図面の簡単な説明】
【０１０５】
【図１】第１及び第２の実施の形態に係る画像読取装置の概略構成図であり、
【図２】第１の実施の形態に係る画像読取装置の制御系の構成を詳細に示したブロック図である。
【図３】画像再生処理を説明する説明図である。
【図４】第２の実施の形態に係る画像読取装置の制御系の構成を詳細に示したブロック図である。
【図５】反射板が原稿に対して副走査方向に相対的に移動するに従って反射面の傾斜角度を変化させる場合の遮蔽パターンの一例を示す図である。
【図６】所定の部分だけに遮蔽パターンが現れる読取結果の一例を示す図である。画像の一例を示す図である。
【符号の説明】
【０１０６】
１０、５０  画像読取装置
１２  照明部
１４  反射板
１５  反射面
１６  制御部
１８  レンズ
１９、１９ａ、１９ｂ、１９ｃ  各受光部
２０  光電変換部
２３ａ、２３ｂ  メモリ
２４  画像処理部
２６  第１記憶部
２８  第２記憶部
３０  ＵＩ部
【図１】
2008219789.tif 000003
【図２】
2008219789.tif 000004
【図３】
2008219789.tif 000005
【図４】
2008219789.tif 000006
【図５】
2008219789.tif 000007
【図６】
2008219789.tif 000008